(57)【要約】  本開示は、情報処理分野に属する、連絡先を処理するための方法、装置、およびモバイル端末を提供する。本方法には、静的ソーティングルールおよび動的ソーティングルールのうちの少なくとも1つを含む、事前定義されたソーティングポリシーを取得するステップと、動的情報および/または静的情報を含む連絡先情報を事前定義されたソーティングポリシーに従って取得するステップと、取得された連絡先情報に基づき、事前定義されたソーティングポリシーに従って連絡先をソーティングするステップとがある。本装置は、第1の取得用モジュール、第2の取得用モジュール、およびソーティング用モジュールを含む。本開示の例は、ユーザによって設定された様々なソーティングルールに従って連絡先をソーティングし、このことは、フレキシブルであり、ユーザが連絡先を迅速に発見するのを容易にし、ユーザエクスペリエンスを改善する。
2015508973.tif 000002
【特許請求の範囲】
【請求項１】
連絡先を処理するための方法であって、
静的ソーティングルールおよび動的ソーティングルールのうちの少なくとも1つを含む、事前定義されたソーティングポリシーを取得するステップと、
動的情報および/または静的情報を含む連絡先情報を前記事前定義されたソーティングポリシーに従って取得するステップと、
前記取得された連絡先情報に基づき、前記事前定義されたソーティングポリシーに従って前記連絡先をソーティングするステップと
を含む、方法。
【請求項２】
前記静的ソーティングルールは、
名前によるソーティングルール、ナンバーによるソーティングルール、加入場所によるソーティングルール、通信事業者によるソーティングルール、連絡先関係によるソーティングルール、およびメールボックスによるソーティングルール
のうちの少なくとも1つを含み、
動的ソーティングルールは、
通信時間によるソーティングルール、通信頻度によるソーティングルール、通信持続時間によるソーティングルール、インスタントメッセージングフォーカス度によるソーティングルール、および重み付き動的情報によるソーティングルール
のうちの少なくとも1つを含む、請求項1に記載の方法。
【請求項３】
前記事前定義されたソーティングポリシーに従って連絡先情報を取得する前記ステップは、
動的情報テーブルを作成し、前記動的情報テーブル内の連絡先の前記動的情報をリアルタイムに更新するステップと、
前記動的ソーティングルールに従って、前記動的情報テーブルから前記連絡先の前記動的情報を取得するステップと
を含み、
前記連絡先の前記動的情報は、呼の数、呼の持続時間、ショートメッセージの数、インスタントメッセージングの回数、およびメールの数のうちの少なくとも1つを含む、請求項2に記載の方法。
【請求項４】
前記事前定義されたソーティングポリシーに従って連絡先情報を取得する前記ステップは、
前記事前定義されたソーティングポリシーに従って、ローカルアドレスブックから前記連絡先の静的情報を取得するステップ、または
静的情報テーブルを作成し、前記静的情報テーブル内の前記連絡先の前記静的情報をリアルタイムに更新し、前記静的ソーティングルールに従って前記静的情報テーブルから前記連絡先の前記静的情報を取得するステップ
を含み、
前記連絡先の前記静的情報は、名前、ナンバー、ナンバー加入場所、前記ナンバーが属する通信事業者、連絡先関係グループのうちの少なくとも1つを含む、請求項2に記載の方法。
【請求項５】
前記事前定義されたソーティングポリシーが、各ソーティングルールの優先度をそれぞれ設定する少なくとも2つのソーティングルールを含む場合、
前記取得された連絡先情報に基づき、前記事前定義されたソーティングポリシーに従って前記連絡先をソーティングする前記ステップは、
前記ソーティングルールの優先度の降順に前記ソーティングルールの適用順を決定するステップと、
前記決定された適用順に応じて、前記ソーティングルールに従って前記連絡先を順にソーティングするステップと
を含み、
前記連絡先が前のソーティングルールに従ってソーティングされた後、ソーティングされた結果が得られ、前記ソーティングされた結果は、後のソーティングルールに従ってソーティングされる、請求項1から4のいずれか一項に記載の方法。
【請求項６】
前記連絡先情報に基づき、前記事前定義されたソーティングポリシーに従って前記連絡先をソーティングした後、
前記ソーティングされた連絡先を表示するステップ
をさらに含む、請求項1に記載の方法。
【請求項７】
前記連絡先情報が変化した場合、前記事前定義されたソーティングポリシーに従って前記連絡先を再びソーティングするステップ
をさらに含む、請求項1に記載の方法。
【請求項８】
連絡先を処理するための装置であって、
静的ソーティングルールおよび動的ソーティングルールのうちの少なくとも1つを含む、事前定義されたソーティングポリシーを取得するように構成された第1の取得用モジュールと、
動的情報および/または静的情報を含む連絡先情報を、前記第1の取得用モジュールによって取得された前記事前定義されたソーティングポリシーに従って取得するように構成された第2の取得用モジュールと、
前記第2の取得用モジュールによって取得された前記連絡先情報に基づき、前記第1の取得用モジュールによって取得された前記事前定義されたソーティングポリシーに従って、連絡先をソーティングするように構成されたソーティング用モジュールと
を含む、装置。
【請求項９】
前記静的ソーティングルールは、
名前によるソーティングルール、ナンバーによるソーティングルール、加入場所によるソーティングルール、通信事業者によるソーティングルール、連絡先関係によるソーティングルール、およびメールボックスによるソーティングルール
のうちの少なくとも1つを含み、
前記動的ソーティングルールは、
通信時間によるソーティングルール、通信頻度によるソーティングルール、通信持続時間によるソーティングルール、およびインスタントメッセージングフォーカス度によるソーティングルール
のうちの少なくとも1つを含む、請求項8に記載の装置。
【請求項１０】
前記第2の取得用モジュールは、
動的情報テーブルを作成し、前記動的情報テーブル内の連絡先の前記動的情報をリアルタイムに更新するように構成された動的テーブルメンテナンスユニットと、
前記動的情報テーブルから前記連絡先の前記動的情報を取得するように構成された動的情報取得用ユニットと
を含み、
前記連絡先の動的情報は、呼の数、呼の持続時間、ショートメッセージの数、インスタントメッセージング回数、およびメールの数のうちの少なくとも1つを含む、請求項9に記載の装置。
【請求項１１】
前記第2の取得用モジュールは、
前記事前定義されたソーティングポリシーに従って、ローカルアドレスブックから前記連絡先の前記静的情報を取得するように構成された第1の静的情報取得用ユニットと、
静的情報テーブルを作成し、前記静的情報テーブル内の前記連絡先の前記静的情報をリアルタイムに更新するように構成された静的テーブルメンテナンスユニットと、
前記静的ソーティングルールに従って、前記静的情報テーブルから前記連絡先の前記静的情報を取得するように構成された第2の静的情報取得用ユニットと
を含み、
前記連絡先の前記静的情報は、名前、ナンバー、ナンバー加入場所、前記ナンバーが属する通信事業者、および連絡先関係グループのうちの少なくとも1つを含む、請求項9に記載の装置。
【請求項１２】
前記事前定義されたソーティングポリシーが少なくとも2種類のソーティングルールを含む場合、各ソーティングルールの優先度をそれぞれ設定するように構成された優先度設定用モジュール
をさらに含み、
前記ソーティング用モジュールは、前記優先度の降順に従って前記ソーティングルールの適用順を決定し、前記ソーティングルールに従って前記連絡先に対する前記ソーティング動作を順に実行するように構成され、
前記連絡先が前のソーティングルールに従ってソーティングされた後、ソーティングされた結果が得られ、前記ソーティングされた結果は、後のソーティングルールに従ってソーティングされる、請求項8に記載の装置。
【請求項１３】
前記ソーティング用モジュールによってソーティングされた前記連絡先を表示するように構成された表示用モジュール
をさらに含む、請求項8に記載の装置。
【請求項１４】
前記ソーティング用モジュールは、前記第2の取得用モジュールによって取得された前記連絡先情報が変化する場合、前記事前定義されたソーティングポリシーに従って再び前記連絡先をソーティングするようにさらに構成される、請求項8に記載の装置。
【請求項１５】
請求項8から14のいずれか一項に記載の、連絡先を処理するための前記装置を含む、モバイル端末。
【発明の詳細な説明】
【技術分野】
【０００１】
本出願は、その開示全体が参照によって本明細書に組み込まれている、2012年3月1日に出願した、「method, apparatus and mobile terminal for processing contacts」という名称の中国特許出願第201210052084.4号の利益を主張する。
【０００２】
本開示は、モバイル端末技法に関し、より詳細には、連絡先を処理するための方法、装置、およびモバイル端末に関する。
【背景技術】
【０００３】
モバイル端末は、人々の日常生活における重要な通信ツールである。モバイル端末は、親類、友人、スクールメート、同僚、および顧客との間の重要な通信ブリッジになってきた。通常、モバイル端末に多くの連絡先が保存される。
【０００４】
既存の技法では、モバイル端末内の連絡先は、たとえば連絡先の名前のピンイン(または頭文字)などの、固定されたルールによってソーティングされる。ユーザが連絡先を探すとき、連絡先を横断する。または、ユーザは、たとえば姓の頭文字などの探索条件を入力することもある。モバイル端末は、探索条件とマッチングする連絡先を表示する。このようにして、連絡先を迅速に発見することができる。
【０００５】
本開示の実装形態では、上記の既存のソーティング方法は、少なくとも次の欠点を有することを発明は発見した。
【０００６】
連絡先は、単一の固定されたルールによってソーティングされる。ソーティングプロシージャの間、連絡先の名前、ユーザと連絡先との間の関係などの静的情報だけが考慮される。固定されたルールは、ユーザが連絡先を迅速に発見するのに役立つものではなく、モバイル端末の情報処理性能を低減させ、モバイル端末の知能度を低減させる。
【発明の概要】
【発明が解決しようとする課題】
【０００７】
本開示の例は、連絡先を発見するための時間を短縮し、モバイル端末の情報処理性能を増大させ、モバイル端末の知能度を増大させるように、連絡先を処理するための方法、装置、およびモバイル端末を提供する。
【課題を解決するための手段】
【０００８】
本開示の実施例による、連絡先を処理するための方法が提供される。本方法は、
静的ソーティングルールおよび動的ソーティングルールのうちの少なくとも1つを含む、事前定義されたソーティングポリシーを取得するステップと、
動的情報および/または静的情報を含む連絡先情報を事前定義されたソーティングポリシーに従って取得するステップと、
取得された連絡先情報に基づき、事前定義されたソーティングポリシーに従って連絡先をソーティングするステップと
を含む。
【０００９】
静的ソーティングルールは、
名前によるソーティングルール、ナンバーによるソーティングルール、加入場所によるソーティングルール、通信事業者によるソーティングルール、連絡先関係によるソーティングルール、およびメールボックスによるソーティングルール
のうちの少なくとも1つを含み、
動的ソーティングルールは、
通信時間によるソーティングルール、通信頻度によるソーティングルール、通信持続時間によるソーティングルール、インスタントメッセージングフォーカス度によるソーティングルール、および重み付き動的情報によるソーティングルール
のうちの少なくとも1つを含む。
【００１０】
事前定義されたソーティングポリシーに従って連絡先情報を取得するステップは、
動的情報テーブルを作成し、動的情報テーブル内の連絡先の動的情報をリアルタイムに更新するステップと、
動的ソーティングルールに従って、動的情報テーブルから連絡先の動的情報を取得するステップと
を含み、
連絡先の動的情報は、呼の数、呼の持続時間、ショートメッセージの数、インスタントメッセージングの回数、およびメールの数のうちの少なくとも1つを含む。
【００１１】
事前定義されたソーティングポリシーに従って連絡先情報を取得するステップは、
事前定義されたソーティングポリシーに従って、ローカルアドレスブックから連絡先の静的情報を取得するステップ、または
静的情報テーブルを作成し、静的情報テーブル内の連絡先の静的情報をリアルタイムに更新し、静的ソーティングルールに従って静的情報テーブルから連絡先の静的情報を取得するステップ
を含み、
連絡先の静的情報は、名前、ナンバー、ナンバー加入場所、ナンバーが属する通信事業者、連絡先関係グループのうちの少なくとも1つを含む。
【００１２】
事前定義されたソーティングポリシーが、各ソーティングルールの優先度をそれぞれ設定する少なくとも2つのソーティングルールを含む場合、
取得された連絡先情報に基づき、事前定義されたソーティングポリシーに従って連絡先をソーティングするステップは、
ソーティングルールの優先度の降順にソーティングルールの適用順を決定するステップと、
決定された適用順に応じて、ソーティングルールに従って連絡先を順にソーティングするステップと
を含み、
連絡先が前のソーティングルールに従ってソーティングされた後、ソーティングされた結果が得られ、ソーティングされた結果は、後のソーティングルールに従ってソーティングされる。
【００１３】
本方法は、
連絡先情報に基づき、事前定義されたソーティングポリシーに従って連絡先をソーティングした後、
ソーティングされた連絡先を表示するステップ
をさらに含む。
【００１４】
本方法は、
連絡先情報が変化した場合、事前定義されたソーティングポリシーに従って連絡先を再びソーティングするステップ
をさらに含む。
【００１５】
本開示の別の実施例による、連絡先を処理するための装置が提供される。本装置は、
静的ソーティングルールおよび動的ソーティングルールのうちの少なくとも1つを含む、事前定義されたソーティングポリシーを取得するように構成された第1の取得用モジュールと、
動的情報および/または静的情報を含む連絡先情報を第1の取得用モジュールによって取得された事前定義されたソーティングポリシーに従って取得するように構成された第2の取得用モジュールと、
第2の取得用モジュールによって取得された連絡先情報に基づき、第1の取得用モジュールによって取得された事前定義されたソーティングポリシーに従って、連絡先をソーティングするように構成されたソーティング用モジュールと
を含む。
【００１６】
静的ソーティングルールは、
名前によるソーティングルール、ナンバーによるソーティングルール、加入場所によるソーティングルール、通信事業者によるソーティングルール、連絡先関係によるソーティングルール、およびメールボックスによるソーティングルール
のうちの少なくとも1つを含み、
動的ソーティングルールは、
通信時間によるソーティングルール、通信頻度によるソーティングルール、通信持続時間によるソーティングルール、およびインスタントメッセージングフォーカス度によるソーティングルール
のうちの少なくとも1つを含む。
【００１７】
第2の取得用モジュールは、
動的情報テーブルを作成し、動的情報テーブル内の連絡先の動的情報をリアルタイムに更新するように構成された動的テーブルメンテナンスユニットと、
動的情報テーブルから連絡先の動的情報を取得するように構成された動的情報取得用ユニットと
を含み、
連絡先の動的情報は、呼の数、呼の持続時間、ショートメッセージの数、インスタントメッセージング回数、およびメールの数のうちの少なくとも1つを含む。
【００１８】
第2の取得用モジュールは、
事前定義されたソーティングポリシーに従って、ローカルアドレスブックから連絡先の静的情報を取得するように構成された第1の静的情報取得用ユニットと、
静的情報テーブルを作成し、静的情報テーブル内の連絡先の静的情報をリアルタイムに更新するように構成された静的テーブルメンテナンスユニットと、
静的ソーティングルールに従って、静的情報テーブルから連絡先の静的情報を取得するように構成された第2の静的情報取得用ユニットと
を含み、
連絡先の静的情報は、名前、ナンバー、ナンバー加入場所、ナンバーが属する通信事業者、および連絡先関係グループのうちの少なくとも1つを含む。
【００１９】
本装置は、
事前定義されたソーティングポリシーが少なくとも2種類のソーティングルールを含む場合、各ソーティングルールの優先度をそれぞれ設定するように構成された優先度設定用モジュール
をさらに含み、
前記ソーティング用モジュールは、優先度の降順に従ってソーティングルールの適用順を決定し、ソーティングルールに従って連絡先に対するソーティング動作を順に実行するように構成され、
連絡先が前のソーティングルールに従ってソーティングされた後、ソーティングされた結果が得られ、ソーティングされた結果は、後のソーティングルールに従ってソーティングされる。
【００２０】
本装置は、
ソーティング用モジュールによってソーティングされた連絡先を表示するように構成された表示用モジュール
をさらに含む。
【００２１】
ソーティング用モジュールは、第2の取得用モジュールによって取得された連絡先情報が変化する場合、事前定義されたソーティングポリシーに従って再び連絡先をソーティングするようにさらに構成される。
【００２２】
本開示のさらに別の実施例による、連絡先を処理するためのモバイル端末が提供される。本端末は、上述のように、連絡先を処理するための装置を含む。
【００２３】
本開示によって提供される技術的解決策は、次の利点をもたらす。
【００２４】
事前定義されたソーティングポリシーが得られ、ソーティングポリシーに従って、連絡先情報が得られる。次いで、得られた連絡先情報に応じて、連絡先は、ソーティングポリシーに従ってソーティングされる。事前定義されたソーティングポリシーは、静的ソーティングルールおよび動的ソーティングルールのうちの少なくとも1つを含むので、複数のソーティングルールに従って連絡先を発見することが可能であるが、ソーティングポリシーは、ユーザが連絡先を迅速に発見するのを容易にし、連絡先を発見するための時間を短縮し、モバイル端末の情報処理性能を増大させ、モバイル端末の知能度を増大させる。
【００２５】
以下の実施例または既存の技法の説明に使用する図は、本開示の技術的解決法をより明確にするために本明細書に簡潔に紹介される。以下の図はいくつかの例にすぎないことに留意されたい。当業者は、独創的な作業をすることなく、これらの図に従った多くの変形形態を得るであろう。
【図面の簡単な説明】
【００２６】
【図１】本開示の第1の実施例による、連絡先を処理するための方法を示すフローチャートである。
【図２】本開示の第2の実施例による、連絡先を処理するための方法を示すフローチャートである。
【図３】本開示の第3の実施例による、連絡先を処理するための装置を示す概略図である。
【図４】本開示の第4の実施例による、連絡先を処理するための装置を示す概略図である。
【発明を実施するための形態】
【００２７】
本開示は、先述の技術的な解決策および利点をより明確にするために、添付の図面および実施例を参照して以下にさらに詳細に説明する。
【実施例１】
【００２８】
この実施例は、図1に示すように、連絡先を処理するための方法を提供し、本方法は、次のものを含む。
【００２９】
ブロック101では、静的ソーティングルールおよび動的ソーティングルールのうちの少なくとも1つを含む、事前定義されたソーティングポリシーが得られる。
【００３０】
具体的には、静的ソーティングルールは、次の、名前によるソーティングルール、ナンバーによるソーティングルール、加入場所によるソーティングルール、通信事業者によるソーティングルール、連絡先関係によるソーティングルール、およびメールボックスによるソーティングルールのうちの少なくとも1つを含む。
【００３１】
動的ソーティングルールは、次の、通信時間によるソーティングルール、通信頻度によるソーティングルール、通信持続時間によるソーティングルール、IMフォーカス度(IM focus degree)によるソーティングルールのうちの少なくとも1つを含む。通信頻度によるソーティングルールは、発信回数によるソーティングルール、着信回数によるソーティングルール、呼の数によるソーティングルール、ショートメッセージの数によるソーティングルール、および通信回数によるソーティングルールを含み得る。
【００３２】
ブロック102では、事前定義されたソーティングポリシーに従って、動的情報および/または静的情報を含む連絡先情報が得られる。
【００３３】
連絡先に関する静的情報は、名前、ナンバー、ナンバー加入場所、ナンバーが属する通信事業者、連絡先グループのうちのいずれか1つまたは任意の組合せを含む。連絡先に関する動的情報は、呼の数、呼の持続時間、ショートメッセージの数、IM回数、メールの数のうちのいずれか1つまたは任意の組合せを含む。
【００３４】
ブロック103では、得られる連絡先情報に基づき、連絡先は、事前定義されたソーティングポリシーによってソーティングされる。
【００３５】
この例では、事前定義されたソーティングポリシーが得られ、ソーティングポリシーに従って、連絡先情報が得られる。次いで、得られた連絡先情報により、ソーティングポリシーに従って連絡先がソーティングされる。事前定義されたソーティングポリシーは、静的ソーティングルールおよび動的ソーティングルールのうちの少なくとも1つを含むので、複数のソーティングルールに従って連絡先を発見することが可能であるが、ソーティングポリシーは、ユーザが連絡先を迅速に発見するのを容易にし、連絡先を発見するための時間を短縮し、モバイル端末の情報処理性能を増大させ、モバイル端末の知能度を増大させる。
【実施例２】
【００３６】
この実施例は、図2に示すように、連絡先を処理するための方法を提供し、本方法は、次のものを含む。
【００３７】
ブロック201では、静的ソーティングルールおよび動的ソーティングルールのうちの少なくとも1つを含む、事前定義されたソーティングポリシーが得られる。
【００３８】
具体的には、静的ソーティングルールは、次の、名前によるソーティングルール、ナンバーによるソーティングルール、加入場所によるソーティングルール、通信事業者によるソーティングルール、連絡先関係によるソーティングルール、およびメールボックスによるソーティングルールのうちの少なくとも1つを含む。
【００３９】
動的ソーティングルールは、次の、通信時間によるソーティングルール、通信頻度によるソーティングルール、通信持続時間によるソーティングルール、IMフォーカス度によるソーティングルールのうちの少なくとも1つを含む。通信頻度によるソーティングルールは、発信回数によるソーティングルール、着信回数によるソーティングルール、呼の数によるソーティングルール、ショートメッセージの数によるソーティングルール、および通信回数によるソーティングルールを含み得る。
【００４０】
ソーティングルールは、モバイル端末に記憶され得る。
【００４１】
さらに、事前定義されたソーティングポリシーが少なくとも2種類のソーティングルールを含む場合、本方法は、このブロックの後、少なくとも2つのソーティングルールの優先度を設定するプロセスをさらに含む。
【００４２】
ソーティングポリシーは、前もって、モバイル端末内に構成され得る。たとえば、名前によるソーティングルールと通信事業者によるソーティングルールとの組合せ(名前によるソーティングルールの優先度が1、通信事業者によるソーティングルールの優先度が2)であるデフォルトソーティングポリシー1、および名前によるソーティングルールとショートメッセージの数によるソーティングポリシーとの組合せであるソーティングポリシー2が、モバイル端末内に構成され得る。ソーティングポリシーは、実際の要求に従ってユーザにより構成されることもある。
【００４３】
ブロック202では、動的情報および/または静的情報を含む連絡先情報が、事前定義されたソーティングポリシーに従って得られる。
【００４４】
連絡先の静的情報は、名前、ナンバー、ナンバー加入場所、ナンバーが属する通信事業者、連絡先グループのうちの少なくとも1つを含む。連絡先の動的情報は、呼の数、呼の持続時間、ショートメッセージの数、IM回数、およびメールの数のうちの少なくとも1つを含む。
【００４５】
さらに、静的情報の取得に関して、次の2つの方法がある。
【００４６】
第1の方法では、静的情報サマリーテーブル(table 1(表1)に示す)がモバイル端末内に構成される。ソーティングポリシーに対応する静的情報が、静的情報サマリーテーブルから直接得られる。静的情報サマリーテーブルは、連絡先に関する様々な種類の静的情報を含む。table 1(表1)は、連絡先がユーザによって追加される順序に従って生成される静的情報サマリーテーブルを表す。この静的情報サマリーテーブル内の静的情報は、例にすぎない。本開示は、この表に限定されない。
【００４７】
【表１】
2015508973.tif 000003
【００４８】
随意に、たとえば、ナンバーレンジ情報テーブル、加入場所情報テーブルなど(table 1(表2)に示す)の様々なソーティングルールに従って複数の静的情報テーブルを構成することも可能である。現時点で、それぞれ、ソーティングルールに対応する静的情報テーブルから、連絡先情報が得られる。
【００４９】
第2の方法では、事前定義されたソーティングポリシーに従って、ローカルアドレスブックから、連絡先の静的情報が直接得られる。
【００５０】
【表２】
2015508973.tif 000004
【００５１】
動的情報の取得に関して、本開示のこの例では、動的情報テーブルから連絡先の動的情報が得られる。
【００５２】
具体的には、動的情報の取得は、
動的情報テーブルを作成し、動的情報テーブル内の連絡先の動的情報をリアルタイムに更新するステップと、
動的ソーティングルールに従って、動的情報テーブルから連絡先の動的情報を取得するステップと
を含む。
【００５３】
具体的には、動的情報テーブルは、table 3(表3)およびtable 4(表4)に示すとおりである可能性がある。table 3(表3)は、モバイル端末によって記録される最近の動的情報テーブルを示す。このテーブルは、1週間内の各連絡先の通信回数および通信持続時間を記録する。table 4(表4)は、モバイル端末によって記録される動的情報履歴テーブルである。このテーブルは、各連絡先のすべての通信回数および通信持続時間を記録する。通信イベントが発生するとき、動的情報テーブル内の通信回数および通信持続時間は、通信イベントのタイプに従って更新される。たとえば、ユーザが連絡先にショートメッセージを送信する場合、対応する動的情報テーブル内のこの連絡先のショートメッセージの数は、1だけ追加される。
【００５４】
table 3(表3)は、一種の動的情報すなわち重み付き情報をさらに含み得る。重み付き情報の値は=2*発信回数+1*着信回数。ブロック201において得られるソーティングポリシーが、重み付き動的情報によるソーティングポリシーである場合、ソーティングポリシーに従って得られる動的情報は、重み付き情報である。
【００５５】
【表３】
2015508973.tif 000005
【００５６】
【表４】
2015508973.tif 000006
【００５７】
好ましくは、本開示のこの例では、インスタントメッセージング情報テーブルは、インスタントメッセージングツールの動的情報および静的情報に従って生成され得る。したがって、モバイル端末は、このテーブルからのインスタントメッセージングに関連する静的情報および動的情報を取得することができる。生成されるインスタントメッセージング情報テーブルは、table 5(表5)に示されるものである可能性がある。インスタントメッセージングツールは、QQ、Fetionなどを含む。
【００５８】
【表５】
2015508973.tif 000007
【００５９】
ブロック203では、連絡先は、得られた連絡先情報に基づき、事前定義されたソーティングポリシーに従ってソーティングされる。
【００６０】
具体的には、得られた事前定義されたソーティングポリシーが少なくとも2つのソーティングルールを含み、その少なくとも2つのソーティングルールがそれぞれ優先度を設定される場合、ブロック203は、
ソーティングルールの優先度の降順に従ってソーティングルールの適用順を決定するステップと、
決定された適用順に応じて、ソーティングルールに従って連絡先を順にソーティングするステップと
を含み、
連絡先が前のソーティングルールに従ってソーティングされた後、ソーティングされた結果が得られ、ソーティングされた結果が後のソーティングルールに従ってソーティングされる。
【００６１】
たとえば、得られた事前定義されたソーティングポリシーは、名前によるソーティングルール、ナンバーレンジによるソーティングルール、および発信回数によるソーティングルールを含む。名前によるソーティングルールの優先度は1であり、ナンバーレンジによるソーティングルールの優先度は2であり、発信回数によるソーティングルールの優先度は3であり、名前によるソーティングルールの優先度が最も高い。優先度の降順に従えば、ソーティングルールの適用順は、次のように、ナンバーによるソーティングルール、ナンバーレンジによるソーティングルール、および発信回数によるソーティングルールである。連絡先は、それらの名前情報に基づき、名前によるソーティングルールに従って第1にソーティングされる。名前情報に基づくソーティング動作の後、同じ名前情報を有する(たとえば、同じ頭文字を有する)連絡先が存在する場合、名前によるソーティングルールに従ったソーティング動作の後に得られた同じ名前情報を有する連絡先は、それらのナンバーレンジ情報に基づき、ナンバーレンジによるソーティングルールに従って再びソーティングされる。ナンバーレンジによるソーティングルールに従ったソーティング動作の後、同じナンバーレンジ情報を有する連絡先が存在する場合、これらの連絡先は、それらの発信回数情報に基づき、発信回数によるソーティングルールに従って再びソーティングされる。
【００６２】
ブロック204では、ソーティングされた連絡先が表示される。
【００６３】
ユーザは、実際のシナリオ要求に従って複数のソーティングルールを構成することができる。複数のソーティングルールに従ったソーティング動作の後、ユーザは、要求された連絡先を迅速に発見することができる。
【００６４】
ブロック205では、得られた連絡先情報が変化する場合、連絡先は、事前定義されたソーティングポリシーに従って再びソーティングされる。
【００６５】
具体的には、変化した連絡先情報に対応するソーティングルールの優先度レベルに従って決定され得る、すべての連絡先または連絡先のうちのいくつかに再ソーティング動作が実行され得る。
【００６６】
加えて、事前定義されたソーティングポリシーにおいて、変化した連絡先情報に対応するソーティングルールの優先度が1(すなわち最高の優先度)である場合、連絡先のすべては、事前定義されたソーティングポリシーに従って再びソーティングされる。
【００６７】
事前定義されたソーティングポリシーにおいて、変化した連絡先情報に対応するソーティングルールの優先度が最も低い場合、連絡先のすべてが、動的情報に対応するソーティングルールに従って再びソーティングされるか、または動的情報が変化する連絡先に隣接する連絡先だけが、動的情報に対応するソーティングルールに従って再びソーティングされる。
【００６８】
一般に、最後にソーティングされた結果は、モバイル端末内にキャッシュされる。最後にソーティングされた結果は、モバイル端末の計算時間およびリソースを節約する、再ソーティング動作に従って知的に更新され得る。
【００６９】
したがって、再ソーティング動作の後、モバイル端末は、ソーティングされた結果を更新し、再ソーティングされた連絡先を表示する。
【００７０】
理解を容易にするために、この実施例のソーティング動作は、table 1(表1)、table 3(表3)、およびtable 5(表5)を参照して説明される。table 1(表1)は、静的情報サマリーテーブルであり、table 3(表3)は1週間内の動的情報テーブルであり、table 5(表5)はインスタントメッセージング情報テーブルである。
【００７１】
シナリオ1では、ユーザは、加入場所情報および名前を通して連絡先を発見することを望む。モバイル端末は、table 1(表1)から加入場所情報および名前情報を取得し、加入場所情報に基づき、加入場所によるソーティングルールに従って(広州、深川、北京、その他の降順で)、連絡先をソーティングする。たとえば、ユーザと同じ加入場所を有する連絡先は、第1位にランキングされ得る。加入場所によるソーティングルールに従ったソーティング動作の後に得られる、同じ加入場所を有する連絡先(A1とA3、A4とB2とB3とC3、B1とC1とC2、A2とA5)に関して、それらの名前情報に応じて、名前によるソーティングルールに従ってソーティング動作が実行される。ソーティングされた結果は、table 6(表6)に示すとおりである。
【００７２】
【表６】
2015508973.tif 000008
【００７３】
シナリオ2では、ユーザは、通信事業者および連絡先名前を介して連絡先を発見することを望む。モバイル端末は、table 1(表1)から通信事業者情報および名前情報を取得し、通信事業者情報に基づき、通信事業者情報によるソーティングルールに従って(China Mobile、China Unicom、およびChina Telecommunicationsの降順で)、連絡先をソーティングする。通信事業者情報によるソーティングルールに従ったソーティング動作の後に得られる、同じ通信事業者の連絡先(A2とA3とA5とB2とC1とC2、A1とB1、A4とB3とC3)に関して、それらの名前情報に基づき、名前によるソーティングルールに従ってソーティング動作が実行される。ソーティングされた結果は、table 7(表7)に示すとおりである。
【００７４】
【表７】
2015508973.tif 000009
【００７５】
シナリオ3では、ユーザは、加入場所およびナンバーレンジを介して連絡先を発見することを望む。モバイル端末は、table 1(表1)から加入場所情報およびナンバーレンジ情報を取得し、第1に加入場所情報に基づき、加入場所情報によるソーティングルールに従って連絡先をソーティングする。加入場所情報によるソーティングルールに従ったソーティング動作の後、同じ加入場所を有する連絡先に関して、それらの名前レンジ情報に基づき、名前レンジによるソーティングルールに従って(それらのナンバーの最初の3ケタの昇順に)ソーティング動作が実行される。ソーティングされた結果は、table 8(表8)に示すとおりである。
【００７６】
【表８】
2015508973.tif 000010
【００７７】
加えて、ユーザは、名前によるソーティングルールに従って連絡先をさらにソーティングすることができる。たとえば、table 8(表8)内の同じナンバーレンジを有する連絡先(C3とB3とA4)に関して、それらの名前情報に基づき、名前によるソーティングルールに従ってソーティング動作が実行される。ソーティングされた結果は、table 9(表9)に示すとおりである。
【００７８】
【表９】
2015508973.tif 000011
【００７９】
シナリオ4では、ユーザは、連絡先の名前および呼の持続時間を介して連絡先を発見することを望む。モバイル端末は、table 1(表1)から名前情報を取得し、table 2(表2)から呼の持続時間情報を取得し、たとえば、それらの名前の最初の漢字に従って連絡先をソーティングするなど、名前情報に基づき、名前によるソーティングルールに従って連絡先をソーティングする。名前によるソーティングルールに従ったソーティング動作の後に得られる、同じ頭文字を有する連絡先(A1とA2とA3とA4とA5、B1とB2とB3、C1とC2とC3)に関して、それらの呼の持続時間に基づき、呼の持続時間によるソーティングルールに従って(呼の持続時間の降順に)ソーティング動作が実行される。呼の持続時間の降順に従ってソーティングが実行される場合、ソーティングされた結果は、table 10(表10)に示すとおりである。
【００８０】
【表１０】
2015508973.tif 000012
【００８１】
シナリオ5では、ユーザは、呼の数および連絡先の名前を介して連絡先を発見することを望む。モバイル端末は、table 2(表2)から呼の数の情報を取得し、table 1(表1)から名前情報を取得し、呼の数の情報に基づき、呼の数によるソーティングルールに従って(たとえば、呼の数の降順で)連絡先をソーティングする。呼の数によるソーティングルールに従ったソーティング動作の後に得られる、同じ呼の数を有する連絡先(A2とA3、A1とA5、B3とC1)に関して、それらの名前情報に基づき、名前によるソーティングルールに従ってソーティング動作が実行される。ソーティングされた結果は、table 11(表11)に示すとおりである。
【００８２】
【表１１】
2015508973.tif 000013
【００８３】
シナリオ6では、ユーザは、ショートメッセージおよび加入場所を介して連絡先を発見することを望む。モバイル端末は、table 2(表2)からショートメッセージ情報を取得し、table 1(表1)から加入場所情報を取得し、第1にショートメッセージ情報に基づき、ショートメッセージ情報によるソーティングルールに従って連絡先をソーティングする。ショートメッセージ情報によるソーティングルールに従ったソーティング動作の後のショートメッセージの同じ数を有する連絡先(A4とA5、C1とC2)に関して、それらの加入場所情報に基づき、加入場所情報によるソーティングルールに従ってソーティング動作が実行される。ソーティングされた結果は、table 12(表12)に示すとおりである。
【００８４】
【表１２】
2015508973.tif 000014
【００８５】
シナリオ7では、ユーザは、QQ連絡先グループおよび名前を介して連絡先を発見することを望む。モバイル端末は、table 5(表5)からショートメッセージ情報を取得し、table 1(表1)から名前情報を取得し、QQ連絡先グループ情報に基づき、QQ連絡先グループ情報によるソーティングルールに従って(スクールメート、友人、同僚、その他の降順に)連絡先をソーティングする。QQ連絡先グループ情報によるソーティングルールに従ったソーティング動作の後の同じQQ連絡先グループを有する連絡先(A1とC3、A5とB3とC2、A3とA4とB1、A2とB2とC1)に関して、それらの名前情報に基づき、名前情報によるソーティングルールに従ってソーティング動作が実行される。ソーティングされた結果は、table 13(表13)に示すとおりである。
【００８６】
【表１３】
2015508973.tif 000015
【００８７】
シナリオ8では、ユーザは、名前および最近のフォーカス回数を介して連絡先を発見することを望む。モバイル端末は、table 1(表1)から名前情報を取得し、table 5(表5)から最近のフォーカス回数情報を取得し、名前情報に基づき、名前によるソーティングルールに従って連絡先をソーティングする。名前によるソーティングルールに従ったソーティング動作の後の同じ頭文字を有する連絡先(A1とA2とA3とA4とA5、B1とB2とB3、C1とC2とC3)に関して、それらの最近のフォーカス回数情報に基づき、最近のフォーカス回数によるソーティングルールに従って(たとえば、フォーカス回数の降順で)ソーティング動作が実行される。ソーティングされた結果は、table 14(表14)に示すとおりである。
【００８８】
【表１４】
2015508973.tif 000016
【００８９】
この実施例では、事前定義されたソーティングポリシーが得られ、ソーティングポリシーに従って連絡先情報が得られる。次いで、連絡先は、得られた連絡先情報に基づき、ソーティングポリシーに従ってソーティングされる。事前定義されたソーティングポリシーは、静的ソーティングルールおよび動的ソーティングルールのうちの少なくとも1つを含むので、複数のソーティングルールに従って連絡先を発見することが可能であるが、ソーティングポリシーは、ユーザが連絡先を迅速に発見するのを容易にし、連絡先を発見するための時間を短縮し、モバイル端末の情報処理性能を増大させ、モバイル端末の知能度を増大させる。
【実施例３】
【００９０】
この実施例は、連絡先を処理するための装置を提供する。本装置は、実施例1および2によって提供された、連絡先を処理するための方法を実行するように構成される。図3に示すように、本装置は、
静的ソーティングルールおよび動的ソーティングルールのうちの少なくとも1つを含む、事前定義されたソーティングポリシーを取得するように構成された第1の取得用モジュール301と、
動的情報および/または静的情報を含む連絡先情報を第1の取得用モジュール301によって取得された事前定義されたソーティングポリシーに従って取得するように構成された第2の取得用モジュール302と、
第2の取得用モジュール302によって取得された連絡先情報に基づき、第1の取得用モジュール301によって取得された事前定義されたソーティングポリシーに従って、連絡先をソーティングするように構成されたソーティング用モジュール303と
を含む。
【００９１】
この実施例では、事前定義されたソーティングポリシーが得られ、ソーティングポリシーに従って、連絡先情報が得られる。次いで、連絡先は、得られた連絡先情報に基づき、ソーティングポリシーに従ってソーティングされる。事前定義されたソーティングポリシーは、静的ソーティングルールおよび動的ソーティングルールのうちの少なくとも1つを含むので、複数のソーティングルールに従って連絡先を発見することが可能であるが、ソーティングポリシーは、ユーザが連絡先を迅速に発見するのを容易にし、連絡先を発見するための時間を短縮し、モバイル端末の情報処理性能を増大させ、モバイル端末の知能度を増大させる。
【実施例４】
【００９２】
この実施例は、連絡先を処理するための装置を提供する。本装置は、実施例1および2によって提供された、連絡先を処理するための方法を実行するように構成される。図4に示すように、本装置は、
静的ソーティングルールおよび動的ソーティングルールのうちの少なくとも1つを含む、事前定義されたソーティングポリシーを取得するように構成された第1の取得用モジュール401と、
動的情報および/または静的情報を含む、第1の取得用モジュール401によって取得された事前定義されたソーティングポリシーに従って連絡先情報を取得するように構成された第2の取得用モジュール402と、
第2の取得用モジュール402によって取得された連絡先情報に基づき、第1の取得用モジュール401によって取得された事前定義されたソーティングポリシーに従って、連絡先をソーティングするように構成されたソーティング用モジュール403と
を含む。
【００９３】
静的ソーティングルールは、次の、名前によるソーティングルール、ナンバーによるソーティングルール、加入場所によるソーティングルール、通信事業者によるソーティングルール、連絡先関係によるソーティングルール、およびメールボックスによるソーティングルールのうちの少なくとも1つを含む。動的ソーティングルールは、次の、通信時間によるソーティングルール、通信頻度によるソーティングルール、通信持続時間によるソーティングルール、およびIMフォーカス度によるソーティングルールのうちの少なくとも1つを含む。通信頻度によるソーティングルールは、発信回数によるソーティングルール、着信回数によるソーティングルール、呼の数によるソーティングルール、ショートメッセージの数によるソーティングルール、および通信回数によるソーティングルールを含み得る。
【００９４】
第2の取得用モジュール402は、
動的情報テーブルを作成し、動的情報テーブル内の連絡先の動的情報をリアルタイムに更新するように構成された動的テーブルメンテナンスユニットと、
動的情報テーブルから連絡先の動的情報を取得するように構成された動的情報取得用ユニットと
を含む。
【００９５】
連絡先の動的情報は、呼の数、呼の持続時間、ショートメッセージの数、インスタントメッセージングフォーカス回数、およびメールの数などのうちの少なくとも1つを含む。
【００９６】
本実施例の1つの適用例では、第2の取得用モジュール402は、事前定義されたソーティングポリシーに従って、ローカルアドレスブックから連絡先の静的情報を取得するように構成された第1の静的情報取得用ユニットをさらに含む。
【００９７】
随意に、本実施例の別の適用例では、第2の取得用モジュール402は、
静的情報テーブルを作成し、静的情報テーブル内の連絡先の静的情報をリアルタイムに更新するように構成された静的テーブルメンテナンスユニットと、
静的ソーティングルールに従って、静的情報テーブルから連絡先の静的情報を取得するように構成された第2の静的情報取得用ユニットと
を含み得る。
【００９８】
連絡先の静的情報は、名前、ナンバー、ナンバー加入場所、ナンバーが属する通信事業者、連絡先グループ、メールボックス、インスタントメッセージングアカウントなどのうちの少なくとも1つを含む。
【００９９】
随意に、本装置は、
事前定義されたソーティングポリシーが少なくとも2種類のソーティングルールを含む場合、各ソーティングルールの優先度をそれぞれ設定するように構成された優先度設定用モジュール405
をさらに含み、
前記ソーティング用モジュール403は、優先度の降順に従ってソーティングルールの適用順を決定し、ソーティングルールに従って連絡先に対するソーティング動作を順に実行するように構成され、連絡先が前のソーティングルールに従ってソーティングされた後、ソーティングされた結果が得られ、次いで、ソーティングされた結果は、後のソーティングルールに従ってソーティングされる。
【０１００】
随意に、本装置は、
ソーティング用モジュール403によってソーティングされた連絡先を表示するように構成された表示用モジュール404
をさらに含む。
【０１０１】
さらに、ソーティング用モジュール403は、第2の取得用モジュール402によって取得された連絡先情報が変化する場合、事前定義されたソーティングポリシーに従って再び連絡先をソーティングするようにさらに構成され、
表示用モジュール404は、ソーティング用モジュール403によって再ソーティングされた連絡先を表示するようにさらに構成される。
【０１０２】
一般に、最後にソーティングされた結果は、モバイル端末内にキャッシュされる。最後にソーティングされた結果は、モバイル端末の計算時間およびリソースを節約する、再ソーティング動作に従って知的に更新され得る。
【０１０３】
この実施例では、事前定義されたソーティングポリシーが得られ、ソーティングポリシーに従って、連絡先情報が得られる。次いで、連絡先は、得られた連絡先情報に基づき、ソーティングポリシーに従ってソーティングされる。事前定義されたソーティングポリシーは、静的ソーティングルールおよび動的ソーティングルールのうちの少なくとも1つを含むので、複数のソーティングルールに従って連絡先を発見することが可能であるが、ソーティングポリシーは、ユーザが連絡先を迅速に発見するのを容易にし、連絡先を発見するための時間を短縮し、モバイル端末の情報処理性能を増大させ、モバイル端末の知能度を増大させる。
【実施例５】
【０１０４】
この実施例は、第3または第4の実施例によって提供された装置を含むモバイル端末を提供する。
【０１０５】
モバイル端末は、モバイルコンピュータデバイスであり、限定はしないが、携帯電話、ラップトップコンピュータ、パームトップコンピュータ、オンボードコンピュータなどを含む。モバイル端末のタイプは、本開示に限定されない。
【０１０６】
上記の実施例によって提供された、連絡先を処理するための装置では、本装置をいくつかの機能モジュールに分割することによって説明されることに留意されたい。実際の適用例では、実際の要求に応じて様々な機能モジュールによって機能を実行することができ、たとえば、本装置は、上述の機能のすべてまたは一部を実装するために様々な機能モジュールに分割される。加えて、上記の実施例において連絡先を処理するためのモバイル端末および装置は、上記の方法の実施例と同じアイディアを有する。詳細な実装形態は、方法の実施例から理解することができ、ここでは繰り返さない。
【０１０７】
本開示のブロックのすべてまたはいくつかは、ハードウェアによって実装されるか、または関連のハードウェア上で実行されるプログラムによって実装され得ることを当業者は理解するであろう。プログラムは、コンピュータ可読記憶媒体に記憶され得る。記憶媒体は、リードオンリーメモリ、ディスク、またはコンパクトディスクであり得る。
【０１０８】
本明細書で説明および例示してきたものは、その変形形態のいくつかを伴った本開示の好ましい例である。以下の特許請求の範囲によって定義されることが意図される本開示の範囲内、および別段に示さなければ、すべての用語が最も広い合理的な意味で解釈されるそれらの均等物内で、多くの変形形態が可能である。
【符号の説明】
【０１０９】
301  第1の取得用モジュール
302  第2の取得用モジュール
303  ソーティング用モジュール
401  第1の取得用モジュール
402  第2の取得用モジュール
403  ソーティング用モジュール
404  表示用モジュール
405  優先度設定用モジュール
【図１】
2015508973.tif 000017
【図２】
2015508973.tif 000018
【図３】
2015508973.tif 000019
【図４】
2015508973.tif 000020
【手続補正書】
【提出日】平成26年10月21日(2014.10.21)
【手続補正１】
【補正対象書類名】明細書
【補正対象項目名】０００５
【補正方法】削除
【補正の内容】
【手続補正２】
【補正対象書類名】明細書
【補正対象項目名】０００６
【補正方法】削除
【補正の内容】
【手続補正３】
【補正対象書類名】明細書
【補正対象項目名】０００８
【補正方法】変更
【補正の内容】
【０００８】
本開示の実施例による、連絡先を処理するための方法が提供される。本方法は、
少なくとも2つのソーティングルールを含む事前定義されたソーティングポリシーを取得するステップであって、少なくとも2つのソーティングルールの各々は、静的ソーティングルールまたは動的ソーティングルールであり、優先度を設定される、ステップと、
動的情報および/または静的情報を含む連絡先情報を事前定義されたソーティングポリシーに従って取得するステップと、
少なくとも2つのソーティングルールの優先度の降順に少なくとも2つのソーティングルールの適用順を決定するステップと、
取得された連絡先情報に基づき、少なくとも2つのソーティングルールに従って順に連絡先をソーティングするステップと
を含み、
連絡先が少なくとも2つのソーティングルールのうちの前のソーティングルールに従ってソーティングされた後、ソーティングされた結果が得られ、ソーティングされた結果が、少なくとも2つのソーティングルールのうちの後のソーティングルールに従ってソーティングされる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本開示の別の実施例による、連絡先を処理するための装置が提供される。本装置は、
少なくとも2つのソーティングルールを含む、事前定義されたソーティングポリシーを取得するように構成された第1の取得用モジュールであって、前記少なくともソーティングルールの各々は、静的ソーティングルールまたは動的ソーティングルールである、第1の取得用モジュールと、
少なくとも2つのソーティングルールの各々について優先度をそれぞれ設定するように構成された優先度設定用モジュールと、
動的情報および/または静的情報を含む連絡先情報を第1の取得用モジュールによって取得された事前定義されたソーティングポリシーに従って取得するように構成された第2の取得用モジュールと、
少なくとも2つのソーティングルールの優先度の降順に従って少なくとも2つのソーティングルールの適用順を決定し、第2の取得用モジュールによって取得された連絡先情報に基づき、第1の取得用モジュールによって取得された少なくとも2つのソーティングルールに従って順に連絡先をソーティングするように構成されたソーティング用モジュールと
を含み、
連絡先が少なくとも2つのソーティングルールのうちの前のソーティングルールに従ってソーティングされた後、ソーティングされた結果が得られ、ソーティングされた結果が、少なくとも2つのソーティングルールのうちの後のソーティングルールに従ってソーティングされる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５１
【補正方法】変更
【補正の内容】
【００５１】
第2の方法では、事前定義されたソーティングポリシーに従って、ローカルアドレスブックから、連絡先の静的情報が直接得られる。
動的情報の取得に関して、本開示のこの例では、動的情報テーブルから連絡先の動的情報が得られる。
【手続補正１９】
【補正対象書類名】明細書
【補正対象項目名】００８５
【補正方法】変更
【補正の内容】
【００８５】
シナリオ7では、ユーザは、QQ連絡先グループおよび名前を介して連絡先を発見することを望む。モバイル端末は、table 5(表5)からQQ連絡先グループ情報を取得し、table 1(表1)から名前情報を取得し、QQ連絡先グループ情報に基づき、QQ連絡先グループ情報によるソーティングルールに従って(スクールメート、友人、同僚、その他の降順に)連絡先をソーティングする。QQ連絡先グループ情報によるソーティングルールに従ったソーティング動作の後の同じQQ連絡先グループを有する連絡先(A1とC3、A5とB3とC2、A3とA4とB1、A2とB2とC1)に関して、それらの名前情報に基づき、名前情報によるソーティングルールに従ってソーティング動作が実行される。ソーティングされた結果は、table 13(表13)に示すとおりである。
【手続補正２０】
【補正対象書類名】特許請求の範囲
【補正対象項目名】全文
【補正方法】変更
【補正の内容】
【特許請求の範囲】
【請求項１】
連絡先を処理するための方法であって、
少なくとも2つのソーティングルールを含む事前定義されたソーティングポリシーを取得するステップであって、前記少なくとも2つのソーティングルールの各々は、静的ソーティングルールまたは動的ソーティングルールであり、優先度を設定される、ステップと、
動的情報および/または静的情報を含む連絡先情報を前記事前定義されたソーティングポリシーに従って取得するステップと、
前記少なくとも2つのソーティングルールの優先度の降順に前記少なくとも2つのソーティングルールの適用順を決定するステップと、
前記取得された連絡先情報に基づき、前記少なくとも2つのソーティングルールに従って順に前記連絡先をソーティングするステップと
を含み、
前記連絡先が前記少なくとも2つのソーティングルールのうちの前のソーティングルールに従ってソーティングされた後、ソーティングされた結果が得られ、前記ソーティングされた結果が、前記少なくとも2つのソーティングルールのうちの後のソーティングルールに従ってソーティングされる、方法。
【請求項２】
前記静的ソーティングルールは、
名前によるソーティングルール、ナンバーによるソーティングルール、加入場所によるソーティングルール、通信事業者によるソーティングルール、連絡先関係によるソーティングルール、およびメールボックスによるソーティングルール
のうちの少なくとも1つを含み、
動的ソーティングルールは、
通信時間によるソーティングルール、通信頻度によるソーティングルール、通信持続時間によるソーティングルール、インスタントメッセージングフォーカス度によるソーティングルール、および重み付き動的情報によるソーティングルール
のうちの少なくとも1つを含む、請求項1に記載の方法。
【請求項３】
前記事前定義されたソーティングポリシーに従って連絡先情報を取得する前記ステップは、
動的情報テーブルを作成し、前記動的情報テーブル内の連絡先の前記動的情報をリアルタイムに更新するステップと、
前記動的ソーティングルールに従って、前記動的情報テーブルから前記連絡先の前記動的情報を取得するステップと
を含み、
前記連絡先の前記動的情報は、呼の数、呼の持続時間、ショートメッセージの数、インスタントメッセージングの回数、およびメールの数のうちの少なくとも1つを含む、請求項2に記載の方法。
【請求項４】
前記事前定義されたソーティングポリシーに従って連絡先情報を取得する前記ステップは、
前記事前定義されたソーティングポリシーに従って、ローカルアドレスブックから前記連絡先の静的情報を取得するステップ、または
静的情報テーブルを作成し、前記静的情報テーブル内の前記連絡先の前記静的情報をリアルタイムに更新し、前記静的ソーティングルールに従って前記静的情報テーブルから前記連絡先の前記静的情報を取得するステップ
を含み、
前記連絡先の前記静的情報は、名前、ナンバー、ナンバー加入場所、前記ナンバーが属する通信事業者、連絡先関係グループのうちの少なくとも1つを含む、請求項2に記載の方法。
【請求項５】
前記連絡先情報に基づき、前記事前定義されたソーティングポリシーに従って前記連絡先をソーティングした後、
前記ソーティングされた連絡先を表示するステップ
をさらに含む、請求項1に記載の方法。
【請求項６】
前記連絡先情報が変化した場合、前記事前定義されたソーティングポリシーに従って前記連絡先を再びソーティングするステップ
をさらに含む、請求項1に記載の方法。
【請求項７】
連絡先を処理するための装置であって、
少なくとも2つのソーティングルールを含む、事前定義されたソーティングポリシーを取得するように構成された第1の取得用モジュールであって、前記少なくともソーティングルールの各々は、静的ソーティングルールまたは動的ソーティングルールである、第1の取得用モジュールと、
前記少なくとも2つのソーティングルールの各々について優先度をそれぞれ設定するように構成された優先度設定用モジュールと、
動的情報および/または静的情報を含む連絡先情報を、前記第1の取得用モジュールによって取得された前記事前定義されたソーティングポリシーに従って取得するように構成された第2の取得用モジュールと、
前記少なくとも2つのソーティングルールの優先度の降順に従って前記少なくとも2つのソーティングルールの適用順を決定し、前記第2の取得用モジュールによって取得された前記連絡先情報に基づき、前記第1の取得用モジュールによって取得された前記少なくとも2つのソーティングルールに従って順に連絡先をソーティングするように構成されたソーティング用モジュールと
を含み、
前記連絡先が前記少なくとも2つのソーティングルールのうちの前のソーティングルールに従ってソーティングされた後、ソーティングされた結果が得られ、前記ソーティングされた結果が、前記少なくとも2つのソーティングルールのうちの後のソーティングルールに従ってソーティングされる、装置。
【請求項８】
前記静的ソーティングルールは、
名前によるソーティングルール、ナンバーによるソーティングルール、加入場所によるソーティングルール、通信事業者によるソーティングルール、連絡先関係によるソーティングルール、およびメールボックスによるソーティングルール
のうちの少なくとも1つを含み、
前記動的ソーティングルールは、
通信時間によるソーティングルール、通信頻度によるソーティングルール、通信持続時間によるソーティングルール、およびインスタントメッセージングフォーカス度によるソーティングルール
のうちの少なくとも1つを含む、請求項7に記載の装置。
【請求項９】
前記第2の取得用モジュールは、
動的情報テーブルを作成し、前記動的情報テーブル内の連絡先の前記動的情報をリアルタイムに更新するように構成された動的テーブルメンテナンスユニットと、
前記動的情報テーブルから前記連絡先の前記動的情報を取得するように構成された動的情報取得用ユニットと
を含み、
前記連絡先の動的情報は、呼の数、呼の持続時間、ショートメッセージの数、インスタントメッセージング回数、およびメールの数のうちの少なくとも1つを含む、請求項8に記載の装置。
【請求項１０】
前記第2の取得用モジュールは、
前記事前定義されたソーティングポリシーに従って、ローカルアドレスブックから前記連絡先の前記静的情報を取得するように構成された第1の静的情報取得用ユニットと、
静的情報テーブルを作成し、前記静的情報テーブル内の前記連絡先の前記静的情報をリアルタイムに更新するように構成された静的テーブルメンテナンスユニットと、
前記静的ソーティングルールに従って、前記静的情報テーブルから前記連絡先の前記静的情報を取得するように構成された第2の静的情報取得用ユニットと
を含み、
前記連絡先の前記静的情報は、名前、ナンバー、ナンバー加入場所、前記ナンバーが属する通信事業者、および連絡先関係グループのうちの少なくとも1つを含む、請求項8に記載の装置。
【請求項１１】
前記ソーティング用モジュールによってソーティングされた前記連絡先を表示するように構成された表示用モジュール
をさらに含む、請求項7に記載の装置。
【請求項１２】
前記ソーティング用モジュールは、前記第2の取得用モジュールによって取得された前記連絡先情報が変化する場合、前記事前定義されたソーティングポリシーに従って再び前記連絡先をソーティングするようにさらに構成される、請求項7に記載の装置。
【請求項１３】
請求項7から12のいずれか一項に記載の、連絡先を処理するための前記装置を含む、モバイル端末。
【国際調査報告】
2015508973.tif 000021
2015508973.tif 000022
2015508973.tif 000023
2015508973.tif 000024